(57)【要約】【課題】構成が簡単で安価で製造することができるとともに、幅木の長さの誤差を許容することのできる構成を備える幅木固定用金具、およびその金具を用いた幅木固定構造を提供する。【解決手段】ベース部から延びる幅木受部を有する幅木固定用金具２００，３００を用いて、幅木の下面側を保持して幅木を固定することができる。その結果、作業者の労力の軽減を図ることができる。また、幅木固定用金具２００，３００の構成部材として、安価な部材を用いることができるため、現場において数多く必要とされる幅木固定用金具２００，３００に要するコストの上昇を抑制することが可能となる。【選択図】図４
2010281132.tif 000002
【特許請求の範囲】
【請求項１】
鉛直方向に延びる柱部材(11)、水平方向に延びる梁部材(12)、および、足場板(20)を構成部品に有する枠組足場(1)に幅木(31,32,33)を取り付けるための幅木固定用金具(100,200,300)であって、
前記柱部材(11)に対して着脱可能に取り付けるための締付金具(110,210,310)と、
前記締付金具(110,210,310)に固定される幅木支持部材(120,130,220,320)と、を備え、
前記幅木支持部材(120,130,220,320)は、
前記締付金具(110,210,310)から略水平方向に延びるベース部(121,122,131,132,221,
321)と、
前記ベース部(121,122,131,132,221,321)から略鉛直下方向に延びる垂下部(123,133,
223,323)と、
前記垂下部(123,133,223,323)から略水平方向に延びる幅木受部(124,134,224,324)と、
前記幅木受部(124,134,224,324)から、前記垂下部(123,133,223,323)に並行に略鉛直上方向に延びる起立部(125,135,225,325)と、
を有する幅木固定用金具。
【請求項２】
前記幅木受部(224,324)は、前記ベース部(221,321)に対して略直交する方向に延びる、請求項１に記載の幅木固定用金具。
【請求項３】
前記締付金具(110)には、２つの前記幅木支持部材(120,130)が固定され、
２つの前記幅木支持部材(120,130)は、前記柱部材(11)の軸(A)を含む仮想平面(P)を挟んで略対称となる形態を有する、請求項１に記載の幅木固定用金具。
【請求項４】
２つの前記幅木支持部材(120,130)のぞれぞれの前記幅木受部(124,134)は、その延びる方向が略９０度で交わるように配置される、請求項３に記載の幅木固定用金具。
【請求項５】
鉛直方向に延びる柱部材(11)、水平方向に延びる梁部材(12)、および、足場板(20)を構成部品に有する枠組足場(1)に幅木(34)を取り付けるための幅木固定構造であって、
前記幅木(34)の第１固定位置(R1)および第２固定位置（R2)では、請求項１から４のいずれかに記載の幅木固定用金具を用いて前記幅木(34)の下面側を保持し、
前記第１固定位置(R1)と前記第２固定位置（R2)との間に位置する第３固定位置(R3)では、前記幅木(34)の上面側に当接する金具を用いて、前記幅木(34)の上面側を保持する、幅木固定構造。
【発明の詳細な説明】
【技術分野】
【０００１】
この発明は、建設現場、作業現場等において用いられる枠組足場に幅木を取り付ける際に用いられる、幅木固定用金具およびその金具を用いた幅木固定構造に関する。
【背景技術】
【０００２】
枠組足場における足場板からの工具の落下防止等のために、足場板の周縁開放部に幅木が取り付けされる。幅木を枠組足場の構成部品である柱部材に固定するための幅木固定用金具として、下記の特許文献１が挙げられる。
【先行技術文献】
【特許文献】
【０００３】
【特許文献１】特開２００７−１３２０９９号公報
【発明の概要】
【発明が解決しようとする課題】
【０００４】
上記特許文献１に開示される幅木固定用金具においては、幅木の両端部を幅木差込部材により保持する構造を有している。そのため、幅木の長さが長い場合、短い場合に用いることができない場合が生じる。また、幅木差込部材が回動可能に設けられているため、構造が複雑となり製造コストの上昇が懸念される。
【０００５】
この発明は上記課題を解決することを目的とし、構成が簡単で安価で製造することができるとともに、幅木の長さの誤差を許容することのできる構成を備える幅木固定用金具、およびその金具を用いた幅木固定構造を提供することにある。
【課題を解決するための手段】
【０００６】
この発明に基づいた幅木固定用金具においては、鉛直方向に延びる柱部材、水平方向に延びる梁部材、および、足場板を構成部品に有する枠組足場に幅木を取り付けるための幅木固定用金具であって、上記柱部材に対して着脱可能に取り付けるための締付金具と、上記締付金具に固定される幅木支持部材とを備えている。
【０００７】
上記幅木支持部材は、上記締付金具から略水平方向に延びるベース部と、上記ベース部から略鉛直下方向に延びる垂下部と、上記垂下部から略水平方向に延びる幅木受部と、上記幅木受部から、上記垂下部に並行に略鉛直上方向に延びる起立部とを有している。
【０００８】
上記幅木固定用金具の他の形態においては、上記幅木受部は、上記ベース部に対して略直交する方向に延びるように設けられる。
【０００９】
上記幅木固定用金具の他の形態においては、上記締付金具には、２つの上記幅木支持部材が固定され、２つの上記幅木支持部材は、上記柱部材の軸を含む仮想平面を挟んで略対称となる形態を有している。
【００１０】
上記幅木固定用金具の他の形態においては、２つの上記幅木支持部材のぞれぞれの上記幅木受部は、その延びる方向が略９０度で交わるように配置される。
【００１１】
この発明に基づいた幅木固定構造においては、鉛直方向に延びる柱部材、水平方向に延びる梁部材、および、足場板を構成部品に有する枠組足場に幅木を取り付けるための幅木固定構造であって、上記幅木の第１固定位置および第２固定位置では、上記の幅木固定用金具を用いて上記幅木の下面側を保持し、上記第１固定位置と上記第２固定位置との間に位置する第３固定位置では、上記幅木の上面側に当接する金具を用いて、上記幅木の上面側を保持する。
【発明の効果】
【００１２】
この発明に基づいた幅木固定用金具およびその金具を用いた幅木固定構造によれば、構成が簡単で、安価で製造することができるとともに、幅木の長さの誤差を許容することのが可能となる。
【図面の簡単な説明】
【００１３】
【図１】各実施の形態における幅木固定用金具を用いて幅木を枠組足場に固定した状態を示す斜視図である。
【図２】実施の形態１における幅木固定用金具を用いて幅木を枠組足場に固定した状態を示す拡大斜視図である。
【図３】実施の形態１における幅木固定用金具の詳細構造を示す斜視図である。
【図４】実施の形態２における幅木固定用金具を用いて幅木を枠組足場に固定した状態を示す拡大斜視図である。
【図５】実施の形態２における幅木固定用金具の詳細構造を示す斜視図である。
【図６】実施の形態２における他の幅木固定用金具の詳細構造を示す斜視図である。
【図７】実施の形態３における幅木固定構造を示す模式図である。
【図８】実施の形態３の固定構造に用いる幅木固定用金具の詳細構造を示す斜視図である。
【発明を実施するための形態】
【００１４】
本発明に基づいた実施の形態における幅木固定用金具およびその金具を用いた幅木固定構造について、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。
【００１５】
（枠組足場１）
図１を参照して、以下に示す各実施の形態における幅木固定用金具を用いて幅木を枠組足場に固定した状態について説明する。建設現場、作業現場等において用いられる枠組足場１は、現場の状況に応じてその形態は様々である。たとえば、建物の建築現場で用いられる枠組足場は、建物の外壁形状に沿って直線状に設けられ、また、コーナ部ではそのコーナ部に沿って設けられる。足場の段数は、家庭用家屋の建築現場等では、２段から４段、商業用のビル建築現場では数十段設けられる。
【００１６】
図１は、枠組足場１のコーナ領域から端部領域を望む場所での幅木３１，３２，３３の取り付け状態を示すものである。枠組足場１は、鉛直方向に延びる複数の柱部材１１と水平方向に延びる複数の梁部材１２を有している。梁部材１２には、足場板２０が複数取り付けられている。柱部材１１は、所定のピッチで配設されるとともに、柱部材１１同士の間には、手摺部材１３および筋交い１４が取り付けられている。
【００１７】
枠組足場１における足場板２０からの工具の落下防止等のために、足場板２０の周縁開放部に幅木３１，３２，３３が、幅木固定用金具１００、２００、３００を用いて枠組足場１に固定されている。
【００１８】
図１に示す奥側のコーナ部（以下、入角部と称する）においては、後述の実施の形態１において説明する幅木固定用金具１００により、幅木３１の一端側および幅木３２の一端側が固定されている。図示においては省略しているが、右奥側の入角部も、幅木固定用金具１００により幅木３２の他端側が固定されている。
【００１９】
図１に示す手前左側のコーナ部（以下、出角部と称する）においては、後述の実施の形態２において説明する幅木固定用金具２００により幅木３１の他端側が固定され、後述の実施の形態３において説明する幅木固定用金具３００により、幅木３３の一端側が固定されている。幅木３３の他端側は、図示していないが、幅木固定用金具１００または幅木固定用金具２００により固定される。
【００２０】
（実施の形態１）
次に、図２および図３を参照して、入角部において、幅木３１の一端側と幅木３２の一端側との固定に用いられる、幅木固定用金具１００の構造について説明する。まず、図３を参照して、この幅木固定用金具１００は、柱部材１１に対して着脱可能に取り付けるための締付金具であるクランプ１１０と、このクランプ１１０に固定される第１幅木支持部材１２０および第２幅木支持部材１３０とを備えている。
【００２１】
クランプ１１０は、柱部材１１に巻き付くように配置される半円弧形状の第１固定片１１１および第２固定片１１２と有し、第１固定片１１１の一端と第２固定片１１２の一端とは、軸１１３により相互に回動可能に連結されている。第１固定片１１１の他端には、軸１１６により回動可能にボルト１１５が連結さている。第２固定片１１２の一端には、ボルト１１５を受け入れ可能なＵ字形状の係合スリット１１４が形成されている。ボルト１１５には、予めナット１１７がセットされている。なお、クランプ１１０は同様の機能を有するものであれば、図示する構造を有するクランプに限定されるものではない。
【００２２】
第１幅木支持部材１２０は、クランプ１１０から略水平方向に延びる第１ベース部１２１および第２ベース部１２２を有している。第１ベース部１２１の一端側は、第１固定片１１１に溶接により固定されている。第１ベース部１２１と第２ベース部１２２とは、交差する角度（α１）が、約１３５度となるように折り曲げられている。
【００２３】
第２ベース部１２２の一端からは、略鉛直下方向に延びる第１垂下部１２３が設けられている。この第１垂下部１２３の一端から略水平方向に延びる第１幅木受部１２４が設けられている。第１幅木受部１２４の一端から、第１垂下部１２３に並行に略鉛直上方向に延びる第１起立部１２５が設けられている。
【００２４】
本実施の形態においては、第１ベース部１２１のクランプ１１０から突出する部分の長さは約６０ｍｍ程度、第２ベース部１２２の長さは約７０ｍｍ程度、第１垂下部１２３の長さは約２２０ｍｍ程度、第１幅木受部１２４の長さは約６０ｍｍ程度、第１起立部１２５の長さは約７０ｍｍ程度である。なお、これらの寸法に限定されるものでなく、固定すべき幅木のサイズに応じて適宜変更される。
【００２５】
第２幅木支持部材１３０は、柱部材１１の軸Ａを含む仮想平面Ｐを挟んで、第１幅木支持部材１２０に対して略対称となるように配置および成形されている。第２幅木支持部材１３０の構成は、対称に成形されている点を除いて、第１幅木支持部材１２０と同様の構成を有し、クランプ１１０から略水平方向に延びる第１ベース部１３１および第２ベース部１３２を有している。第１ベース部１３１の一端側は、第１固定片１１１に溶接により固定されている。第１ベース部１３１と第２ベース部１３２とは、交差する角度（α１）が、約１３５度となるように折り曲げられている。
【００２６】
第２ベース部１３２の一端からは、略鉛直下方向に延びる第２垂下部１３３が設けられている。この第２垂下部１３３の一端から略水平方向に延びる第２幅木受部１３４が設けられている。第２幅木受部１３４の一端から、第２垂下部１３３に並行に略鉛直上方向に延びる第２起立部１３５が設けられている。
【００２７】
本実施の形態においては、第１ベース部１３１のクランプ１１０から突出する部分の長さは約６０ｍｍ程度、第２ベース部１３２の長さは約７０ｍｍ程度、第２垂下部１３３の長さは約２２０ｍｍ程度、第２幅木受部１３４の長さは約６０ｍｍ程度、第２起立部１３５の長さは約７０ｍｍ程度である。なお、これらの寸法に限定されるものでなく、固定すべき幅木のサイズに応じて適宜変更される。
【００２８】
第１幅木受部１２４および第２幅木受部１３４は、第１幅木受部１２４の延びる方向と、第２幅木受部１３４の延びる方向との交わる角度（α２）が、略９０度となるように折り曲げられている。なお、本実施の形態における第１幅木支持部材１２０および第２幅木支持部材１３０は、一本の鉄製の棒状部材を折り曲げることにより成形されている。また、クランプ１１０、第１幅木支持部材１２０および第２幅木支持部材１３０の表面は、防錆のためメッキ処理が施されている。
【００２９】
図２を参照して、上記構成を有する幅木固定用金具１００を用いた、幅木３１の一端側と幅木３２の一端側との固定について説明する。クランプ１１０を柱部材１１に仮固定した状態で、第１幅木支持部材１２０の第１幅木受部１２４に幅木３１の一端側を載置する。同様に、第２幅木支持部材１３０の第２幅木受部１３４に幅木３２の一端側を載置する。
【００３０】
次に、幅木３１および幅木３２を幅木固定用金具１００に載置した状態で、クランプ１１０を柱部材１１の周方向（図２中のＸ１またはＸ２に示す方向）に沿って回転させる。これにより、幅木３１の側面が、第１垂下部１２３および第１起立部１２５の当接する状態となる。さらに、第１垂下部１２３および第１起立部１２５が、クランプ１１０を回転させた方向に幅木３１を締付けることになる。
【００３１】
同様に、幅木３２の側面も、第２垂下部１３３および第２起立部１３５の当接する状態となる。さらに、第２垂下部１３３および第２起立部１３５が、クランプ１１０を回転させた方向に幅木３２を締付けることになる。
【００３２】
この状態で、ボルト１１７を締め込み、クランプ１００を柱部材１１に本固定する。これにより、幅木３１の一端側および幅木３２の一端側は、幅木固定用金具１００により下面側が支持された状態で、強固に固定されることになる。
【００３３】
以上、本実施の形態においては、一つの幅木固定用金具１００を用いて、二方向からの幅木３１，３２を同時に固定することができる。その結果、作業者の労力の軽減を図ることができる。また、幅木固定用金具１００の構成部材として、安価な部材を用いることができるため、現場において数多く必要とされる幅木固定用金具１００に要するコストの上昇を抑制することが可能となる。
【００３４】
また、幅木３１，３２は、その端面側が開放された状態で、幅木固定用金具１００によりその下面側が保持されることから、幅木３１，３２の長さに誤差が生じている場合であっても、その誤差を吸収して、幅木３１，３２の固定を行なうことができる。
【００３５】
また、この幅木固定用金具１００は、ベース部を用いて、クランプ１１０から遠ざかる位置に、第１ベース部１２１，１３１および第２ベース部１２２，１３２を用いて幅木受部１２４，１３４を設けるようにしていることから、一方の幅木受部から幅木がはみ出した場合であっても、はみ出た幅木は他方のベース部の下方を通過することができるため（図２参照）、予め用意した正規長さの幅木だけでなく、現場にある木製の足場板を幅木として用いることもできる。
【００３６】
さらに、ベース部を用いて、クランプ１１０から遠ざかる位置に幅木受部１２４，１３４を設けるようにしていることから、クランプ１１０を回転させて幅木３１，３２を締付ける際には、第１ベース部１２１，１３１および第２ベース部１２２，１３２の腕の長さに応じた締付けトルクを発生させることもできる。
【００３７】
（実施の形態２）
次に、図４から図５を参照して、出角部において、幅木３１の他端側の固定に用いられる幅木固定用金具２００と、幅木３３の一端側の固定に用いられる幅木固定用金具３００の構造について説明する。
【００３８】
（幅木固定用金具２００）
図５を参照して、この幅木固定用金具２００は、柱部材１１に対して着脱可能に取り付けるための締付金具であるクランプ２１０と、このクランプ２１０に固定される幅木支持部材２２０を備えている。
【００３９】
クランプ２１０は、柱部材１１に巻き付くように配置される半円弧形状の第１固定片２１１および第２固定片２１２と有し、第１固定片２１１の一端と第２固定片２１２の一端とは、軸２１３により相互に回動可能に連結されている。第１固定片２１１の他端には、軸２１６により回動可能にボルト２１５が連結さている。第２固定片２１２の一端には、ボルト２１５を受け入れ可能なＵ字形状の係合スリット２１４が形成されている。ボルト２１５には、予めナット２１７がセットされている。なお、クランプ２１０は同様の機能を有するものであれば、図示する構造を有するクランプに限定されるものではない。
【００４０】
幅木支持部材２２０は、クランプ２１０から略水平方向に延びるベース部２２１を有している。ベース部２２１の一端側は、第１固定片２１１に溶接により固定されている。ベース部２２１の一端からは、略鉛直下方向に延びる垂下部２２３が設けられている。この垂下部２２３の一端から略水平方向に延びる幅木受部２２４が設けられている。幅木受部２２４は、その延びる方向がベース部２２１の延びる方向に対して略９０度で交わるように折り曲げられている。幅木受部２２４の一端から、垂下部２２３に並行に略鉛直上方向に延びる起立部２２５が設けられている。
【００４１】
本実施の形態においては、ベース部２２１のクランプ２１０から突出する部分の長さは約１００ｍｍ程度、垂下部２２３の長さは約２２０ｍｍ程度、幅木受部２２４の長さは約６０ｍｍ程度、起立部２２５の長さは約７０ｍｍ程度である。なお、これらの寸法に限定されるものでなく、固定すべき幅木のサイズに応じて適宜変更される。
【００４２】
なお、本実施の形態における幅木支持部材２２０は、一本の鉄製の棒状部材を折り曲げることにより成形されている。また、クランプ２１０および幅木支持部材２２０の表面は、防錆のためメッキ処理が施されている。
【００４３】
（幅木固定用金具３００）
図６を参照して、幅木固定用金具３００は、柱部材１１に対して着脱可能に取り付けるための締付金具であるクランプ３１０と、このクランプ３１０に固定される幅木支持部材３２０を備えている。上記幅木固定用金具２００の構成と比較した場合、この幅木支持部材３２０は、クランプに対して略対称となる形態を有している。
【００４４】
クランプ３１０は、柱部材１１に巻き付くように配置される半円弧形状の第１固定片３１１および第２固定片３１２と有し、第１固定片３１１の一端と第２固定片３１２の一端とは、軸３１３により相互に回動可能に連結されている。第１固定片３１１の他端には、軸３１６により回動可能にボルト３１５が連結さている。第２固定片３１２の一端には、ボルト３１５を受け入れ可能なＵ字形状の係合スリット３１４が形成されている。ボルト３１５には、予めナット３１７がセットされている。なお、クランプ３１０は同様の機能を有するものであれば、図示する構造を有するクランプに限定されるものではない。
【００４５】
幅木支持部材３２０は、クランプ３１０から略水平方向（幅木固定用金具２００とは反対側）に延びるベース部３２１を有している。ベース部３２１の一端側は、第１固定片３１１に溶接により固定されている。ベース部３２１の一端からは、略鉛直下方向に延びる垂下部３２３が設けられている。この垂下部３２３の一端から略水平方向に延びる幅木受部３２４が設けられている。幅木受部３２４は、その延びる方向がベース部３２１の延びる方向に対して略９０度で交わるように折り曲げられている。幅木受部３２４の一端から、垂下部３２３に並行に略鉛直上方向に延びる起立部３２５が設けられている。
【００４６】
本実施の形態においては、ベース部３２１のクランプ３１０から突出する部分の長さは約１００ｍｍ程度、垂下部３２３の長さは約３２０ｍｍ程度、幅木受部２２４の長さは約６０ｍｍ程度、起立部２２５の長さは約７０ｍｍ程度である。なお、これらの寸法に限定されるものでなく、固定すべき幅木のサイズに応じて適宜変更される。
【００４７】
また、本実施の形態では、図４に示すように、幅木固定用金具３００の上に幅木固定用金具２００を取り付けることを想定していることから、幅木固定用金具２００の垂下部２２３の長さは、幅木固定用金具３００の垂下部３２３の長さよりも長く設けられている。
【００４８】
なお、本実施の形態における幅木支持部材３２０は、一本の棒状部材を折り曲げることにより成形されている。また、クランプ２１０および幅木支持部材２２０の表面は、防錆のためメッキ処理が施されている。
【００４９】
図４を参照して、上記構成を有する幅木固定用金具２００，３００を用いた、幅木３１の他端側と幅木３３の一端側との固定について説明する。
【００５０】
幅木固定用金具２００のクランプ２１０を柱部材１１に仮固定した状態で、幅木支持部材２２０の幅木受部２２４に幅木３１の他方端を載置する。次に、幅木３１を幅木固定用金具２００に載置した状態で、クランプ２１０を柱部材１１の周方向（図４中のＸ１またはＸ２に示す方向）に沿って回転させる。
【００５１】
これにより、幅木３１の側面が、垂下部２２３および起立部２２５に当接する状態となる。さらに、垂下部２２３および起立部２２５により、クランプ１１０を回転させた方向に幅木３１が締付けられることになる。特に、Ｘ２方向に回転させた場合には、幅木３１を枠組足場１に設けられた筋交い１４に押し付けることも可能となる。
【００５２】
この状態で、ボルト２１７を締め込み、クランプ２１０を柱部材１１に本固定する。これにより、幅木３１の他方端側は、幅木固定用金具２００により下面側が支持された状態で、強固に固定されることになる。
【００５３】
同様に、幅木固定用金具３００のクランプ３１０を柱部材１１に仮固定した状態で、幅木支持部材３２０の幅木受部３２４に幅木３３の一方端を載置する。次に、幅木３３を幅木固定用金具３００に載置した状態で、クランプ３１０を柱部材１１の周方向（図４中のＸ１またはＸ２に示す方向）に沿って回転させる。これにより、幅木３３の側面が、垂下部３２３および起立部３２５に当接する状態となる。さらに、垂下部３２３および起立部３２５により、クランプ３１０を回転させた方向に締付けられることになる。
【００５４】
この状態で、ボルト３１７を締め込み、クランプ３１０を柱部材１１に本固定する。これにより、幅木３３の一方端は、幅木固定用金具３００により下面側が支持された状態で、強固に固定されることになる。
【００５５】
以上、本実施の形態においては、幅木固定用金具２００，３００を用いて幅木を固定することができるため、作業者の労力の軽減を図ることができる。また、幅木固定用金具１００の構成部材として、安価な部材を用いることができるため、現場において数多く必要とされる幅木固定用金具２００，３００に要するコストの上昇を抑制することが可能となる。
【００５６】
また、幅木３１，３３は、その端面側が開放された状態で、幅木固定用金具２００，３００によりその下面側が保持されることから、幅木３１，３３の長さに誤差が生じている場合であっても、その誤差を吸収して、幅木３１，３３の固定を行なうことができる。
【００５７】
また、この幅木固定用金具２００，３００は、ベース部を用いて、クランプ２１０，３１０から遠ざかる位置に、幅木受部を設けるようにしていることから、幅木受部から幅木がはみ出した場合であっても、幅木を保持することができるため（図４参照）、予め用意した正規長さの幅木だけでなく、現場にある木製の足場板を幅木として用いることもできる。
【００５８】
さらに、ベース部２２１，３２１を用いて、クランプ２１０，３１０から遠ざかる位置に幅木受部２２４，３２５を設けるようにしていることから、クランプ２１０，３１０を回転させて幅木３１，３４を締付ける際には、ベース部２２１，３２１の腕の長さに応じた締付けトルクを発生させることもできる。
【００５９】
（実施の形態３）
次に、図７および図８を参照して、上述した幅木固定用金具１００，２００，３００を用いた幅木固定構造について説明する。幅木３４を枠組足場の柱部材１１に固定する場合、幅木３４の両側の第１固定位置Ｐ１および第２固定位置Ｐ２においては、上記実施の形態１および２で説明した、幅木固定用金具１００,２００,３００用いることができる。なお、図７では、両側の幅木３４の固定には、幅木固定用金具２００，３００を図示した状態を示しているが、幅木固定用金具１００を用いることも可能である。
【００６０】
ここで、第１固定位置Ｐ１および第２固定位置Ｐ２においては、幅木固定用金具２００，３００により、下面側から幅木３４を支持している（Ｒ１，Ｒ２）。この場合に、幅木３４の中間位置である第３固定位置（Ｐ３）を支持する場合には、上面側から幅木３４を支持（Ｒ３）する構造を採用する。
【００６１】
幅木３４の第３固定位置（Ｐ３）を支持する幅木固定用金具４００を図８に示す。この幅木固定用金具４００は、柱部材１１に対して着脱可能に取り付けるための締付金具であるクランプ４１０と、このクランプ４１０に固定される幅木支持部材４２０を備えている。
【００６２】
クランプ４１０は、柱部材１１に巻き付くように配置される半円弧形状の第１固定片４１１および第２固定片４１２と有し、第１固定片４１１の一端と第２固定片４１２の一端とは、軸４１３により相互に回動可能に連結されている。第１固定片４１１の他端には、軸４１６により回動可能にボルト４１５が連結さている。第２固定片４１２の一端には、ボルト４１５を受け入れ可能なＵ字形状の係合スリット４１４が形成されている。ボルト４１５には、予めナット４１７がセットされている。
【００６３】
幅木支持部材４２０は、クランプ４１０から略水平方向に延びるベース部４２１を有している。ベース部４２１の一端側は、第１固定片４１１に溶接により固定されている。ベース部４２１の他端からは、略鉛直下方向に延びる垂下部４２２が設けられている。
【００６４】
ベース部４２１のクランプ４１０から突出する部分の長さは約１００ｍｍ程度、垂下部４２２の長さは約１８０ｍｍ程度である。なお、これらの寸法に限定されるものでなく、固定すべき幅木のサイズに応じて適宜変更される。
【００６５】
以上、幅木３４の固定構造において、第１固定位置Ｐ１および第２固定位置Ｐ２においては、幅木固定用金具２００，３００により下面側から幅木３４を支持し、幅木３４の中間位置である第３固定位置（Ｐ３）においては、上面側から幅木３４を支持する構造を採用することで、幅木３４の上下の動きを規制することが可能となり、幅木３４を枠組足場の柱部材１１に対して容易にかつ強固に固定することが可能となる。
【００６６】
なお、上記各実施の形態においては、コスト、製造の容易化の観点から、幅木支持部材として一本の鉄の棒を折り曲げ加工したものを採用したが、複数本の部材を組み合わせて幅木支持部材を形成することも可能である。また、角材、アングル材等を用いて幅木支持部材を形成することも可能である。また、軽量化のため中空のパイプ部材等を用いて、幅木支持部材を形成することも可能である。
【００６７】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００６８】
１  枠組足場、１１  柱部材、１２  梁部材、１３  手摺部材、１４  筋交い、２０  足場板、３１，３２，３３，３４  幅木、１００，２００，３００，４００  幅木固定用金具、１１０  クランプ、１１１  第１固定片、１１２  第２固定片、１１３，１１６  軸、１１４  係合スリット、１１５，２１５，３１５，４１５  ボルト、１１７，２１７，３１７，４１７  ナット、１２０  第１幅木支持部材、１２１，１３１  第１ベース部、１２２，１３２  第２ベース部、１２３  第１垂下部、１２４  第１幅木受部、１２５  第１起立部、１３０  第２幅木支持部材、１３３  第２垂下部、１３４  第２幅木受部、１３５  第２起立部、２１０，３１０，４１０  クランプ、２１１，３１１，４１１  第１固定片、２１２，３１２，４１２  第２固定片、２１３，２１６，３１３，３１６，４１３  軸、２１４，３１４，４１４  係合スリット、２２０，３２０，４２０  幅木支持部材、２２１，３２１，４２１  ベース部、２２３，３２３，４２２  垂下部、２２４，３２４  幅木受部、２２５，３２５  起立部、３００，４００  幅木固定用金具、Ａ  軸、Ｐ  仮想平面。
【図１】
2010281132.tif 000003
【図２】
2010281132.tif 000004
【図３】
2010281132.tif 000005
【図４】
2010281132.tif 000006
【図５】
2010281132.tif 000007
【図６】
2010281132.tif 000008
【図７】
2010281132.tif 000009
【図８】
2010281132.tif 000010